(57)【特許請求の範囲】
【請求項１】
硬貨が長手方向に沿って摺動可能な長尺通路を有する本体部を有し、該本体部は前記硬貨を前記長尺通路に導く導入口と、前記長尺通路からそれぞれ異なる径の硬貨を排出する複数の開口部とを有した硬貨選別器であって、
前記長尺通路は、前記開口部と対向する面の一端部に、前記硬貨が移動する方向に沿って当該面から対応する開口部側に向かう傾斜面部を有し、該傾斜面部は対応する開口部から排出する硬貨の端部がかかるように形成されており、前記傾斜面部の一端部は前記開口部の開口面内に位置することを特徴とする硬貨選別器。
【請求項２】
前記傾斜面部が形成された硬貨移動方向範囲において、当該傾斜面部を含む前記長尺通路の幅は、当該傾斜面部に対応する開口部から排出する硬貨の径と同等または大きく、当該傾斜面部を含まない前記長尺通路の幅は、対応する開口部から排出することなく通過させる硬貨の径より大きいことを特徴とする請求項１記載の硬貨選別器。
【請求項３】
前記開口部は前記長尺通路の長手方向に沿って複数配置され、前記導入口に最も近い開口部に対応する傾斜面部を含む前記長尺通路の幅は、最も大きい硬貨の径と同等であり、その他の開口部に対応する傾斜面部を含む前記長尺通路の幅は、前記硬貨の移動方向下流側ほど小さく形成されることを特徴とする請求項１または２に記載の硬貨選別器。
【請求項４】
前記長尺通路の開口部は、前記硬貨の移動方向下流側縁面が前記傾斜面部と同じ方向の傾斜状となるように形成されることを特徴とする請求項１〜３のいずれか１項に記載の硬貨選別器。
【請求項５】
前記長尺通路の終端部には、最も小さい径の硬貨と同等の幅を有する最終開口部が形成されることを特徴とする請求項１〜４のいずれか１項に記載の硬貨選別器。
【請求項６】
前記導入口には該導入口より大きな開口を有した入口部材が取付けられることを特徴とする請求項１〜５のいずれか１項に記載の硬貨選別器。
【請求項７】
前記入口部材は前記本体部に対して回転自在に取付けられることを特徴とする請求項６記載の硬貨選別器。
【請求項８】
硬貨の種類別の硬貨収納部を併設配置した財布において、
請求項１〜７のいずれか１項に記載の硬貨選別器を有し、前記複数の開口部が各々硬貨収納部に対応して配置されることを特徴とする財布。
【発明の詳細な説明】
【技術分野】
【０００１】
本発明は、複数種類の硬貨を選別して異なる位置から排出可能な硬貨選別器及びそれを備えた財布に関し、特に硬貨の径が種類によって異なることを利用して選別をなす硬貨選別器及びそれを備えた財布に関する。
【背景技術】
【０００２】
硬貨には複数種類があり、これらを持ち運ぶ財布、あるいは店舗等で硬貨を入れておく箱や自動販売機にあっては、硬貨を種類毎に選別することにより、硬貨を使用したり両替等行う場合に便利である。しかし、通常は硬貨の選別は手作業で行われるため手間を要する。銀行など、硬貨を大量に扱う場所では、硬貨を自動的に選別する装置が用いられるが、係る装置は大掛かりで高価である。
【０００３】
そこで、比較的小規模な硬貨の選別を行うための器具として、硬貨の投入口から連続する傾斜面を設け、傾斜面に隣接して開口部を形成し、開口部の高さが傾斜面の傾斜方向に沿って次第に大きくなるようにした硬貨類別具が、特許文献１において提案されている。かかる硬貨類別具によれば、硬貨が傾斜面を転がり、隣接する開口部の高さが転がる硬貨の径よりも大きくなったところで、硬貨が傾倒して開口部から外部に排出されるので、硬貨の径に応じて排出位置が異なることとなり、これによって硬貨を選別することが可能となる。
【先行技術文献】
【特許文献】
【０００４】
【特許文献１】特開平６−９６３２２号公報
【発明の概要】
【発明が解決しようとする課題】
【０００５】
硬貨選別器としては、できるだけ簡易な構造で、かつ省スペース化を図ることが求められる。特に、硬貨選別器を薄型化することにより、小銭入れを備えた財布に内蔵することが可能となり、硬貨を投入するだけで自動的に硬貨が選別されて納められる財布を実現することができて、利便性を大きく向上させることができる。また、それ以外の用途で用いる場合にも、省スペース化のため薄型化が望まれる。
【０００６】
特許文献１の硬貨類別具では、開口が傾斜面の傾斜方向に連続的に形成されているため、傾斜面から傾倒した硬貨が確実に区分けされるように、隔壁を設ける必要があって、十分に薄型化を図ることは困難であった。
【０００７】
本発明は前記課題を鑑みてなされたものであり、簡単な構造で薄型に形成することのできる硬貨選別器及びそれを備えた財布を提供することを目的とする。
【課題を解決するための手段】
【０００８】
前記課題を解決するため、請求項１の発明に係る硬貨選別器は、硬貨が長手方向に沿って摺動可能な長尺通路を有する本体部を有し、該本体部は前記硬貨を前記長尺通路に導く導入口と、前記長尺通路からそれぞれ異なる径の硬貨を排出する複数の開口部とを有した硬貨選別器であって、
前記長尺通路は、前記開口部と対向する面の一端部に、前記硬貨が移動する方向に沿って当該面から対応する開口部側に向かう傾斜面部を有し、該傾斜面部は対応する開口部から排出する硬貨の端部がかかるように形成されており、前記傾斜面部の一端部は前記開口部の開口面内に位置することを特徴として構成されている。
【０００９】
請求項１に係る発明によれば、簡単な構造で一つの開口部から特定の径の硬貨を選別して排出することができる。また、傾斜面部で硬貨の一端部を跳ね上げて確実に開口部から排出させることができる。
【００１０】
また、請求項２の発明に係る硬貨選別器は、前記傾斜面部が形成された硬貨移動方向範囲において、当該傾斜面部を含む前記長尺通路の幅は、当該傾斜面部に対応する開口部から排出する硬貨の径と同等または大きく、当該傾斜面部を含まない前記長尺通路の幅は、対応する開口部から排出することなく通過させる硬貨の径より大きいことを特徴として構成されている。
【００１１】
請求項２に係る発明によれば、開口部の位置で排出する硬貨と通過させる硬貨とを確実に選別することができる。
【００１４】
さらにまた、請求項３の発明に係る硬貨選別器は、前記開口部は前記長尺通路の長手方向に沿って複数配置され、前記導入口に最も近い開口部に対応する傾斜面部を含む前記長尺通路の幅は、最も大きい硬貨の径と同等であり、その他の開口部に対応する傾斜面部を含む前記長尺通路の幅は、前記硬貨の移動方向下流側ほど小さく形成されることを特徴として構成されている。
【００１５】
請求項３に係る発明によれば、複数種類の硬貨について別々の開口部からそれぞれ排出させることができる。
【００１６】
そして、請求項４の発明に係る硬貨選別器は、前記長尺通路の開口部は、前記硬貨の移動方向下流側縁面が前記傾斜面部と同じ方向の傾斜状となるように形成されることを特徴として構成されている。
【００１７】
請求項４に係る発明によれば、排出される硬貨と開口部の縁部とが干渉しないようにすることができる。
【００１８】
また、請求項５の発明に係る硬貨選別器は、前記長尺通路の終端部には、最も小さい径の硬貨と同等の幅を有する最終開口部が形成されることを特徴として構成されている。
【００１９】
請求項５に係る発明によれば、最後に残った硬貨をそのまま排出させるようにすることで、構造をより簡易にすることができる。
【００２０】
さらに、請求項６の発明に係る硬貨選別器は、前記導入口には該導入口より大きな開口を有した入口部材が取付けられることを特徴として構成されている。
【００２１】
請求項６に係る発明によれば、硬貨を長尺通路内に円滑に挿入することができる。
【００２２】
さらにまた、請求項７の発明に係る硬貨選別器は、前記入口部材は前記本体部に対して回転自在に取付けられることを特徴として構成されている。
【００２３】
請求項７に係る発明によれば、硬貨の挿入方向を自在に設定することができる。
【００２４】
そして、請求項８の発明に係る財布は、硬貨の種類別の硬貨収納部を併設配置した財布において、
請求項１〜７のいずれか１項に記載の硬貨選別器を有し、前記複数の開口部が各々硬貨収納部に対応して配置されることを特徴として構成されている。
【００２５】
請求項８に係る発明によれば、硬貨を硬貨選別器に通すだけで、硬貨を種類別に硬貨収納部に収納することができる。
【発明の効果】
【００２６】
本発明に係る硬貨選別器によれば、簡単な構造で薄型に形成することができる。
【図面の簡単な説明】
【００２７】
【図１】本実施形態における硬貨選別器の斜視図である。
【図２】本体部を構成する第一部材の斜視図である。
【図３】本体部の側面図である。
【図４】本体部の平面図であって５００円玉と１０円玉の挙動の違いにつき表した図である。
【図５】本体部の平面図であって１０円玉と１００円玉の挙動の違いにつき表した図である。
【図６】本体部に硬貨を差し入れるための入口部材を取付けた硬貨選別器の斜視図である。
【図７】本実施形態の財布の斜視図である。
【図８】財布の正面図である。
【発明を実施するための形態】
【００２８】
本発明の実施形態について図面に沿って詳細に説明する。図１には、本実施形態における硬貨選別器１の斜視図を示している。本実施形態の硬貨選別器１は、導入口１２から挿入された硬貨が、種類別に異なる開口部から排出されることで、硬貨を選別するものである。選別する硬貨は、日本で用いられている１円玉、５円玉、１０円玉、５０円玉、１００円玉、５００円玉の計６種類である。これらを直径の大きい方から順に並べると、５００円玉（２６．５ｍｍ）、１０円玉（２３．５ｍｍ）、１００円玉（２２．６ｍｍ）、５円玉（２２ｍｍ）、５０円玉（２１ｍｍ）、１円玉（２０ｍｍ）であり、本実施形態の硬貨選別器１は、これら硬貨種類別の直径の違いを利用して、硬貨を選別する。
【００２９】
図１に示すように、硬貨選別器１は、硬貨の摺動方向に沿って長い中空長尺状に形成されてなる本体部２を有してなる。本体部２は、第一部材１０と第二部材１１とを一体化して構成されており、端部には、最も大きい硬貨である５００円玉を挿入することが可能な大きさを有した導入口１２が形成される。本体部２には、この導入口１２から連続して長手方向に沿う長尺通路１３が形成されている。
【００３０】
また、本体部２には、長尺通路１３と外部とを連通させる複数の開口部が形成されている。開口部は、導入口１２側から順に第一開口部２０、第二開口部２１、第三開口部２２、第四開口部２３、第五開口部２４、及び最終開口部２５が、長尺通路１３の長手方向に沿って配置されている。長尺通路１３を通過する硬貨は、種類毎に異なる開口部から外部に排出される。
【００３１】
図２には、本体部２を構成する第一部材１０の斜視図を示している。第一部材１０は、長尺板状の底面部１４を備えており、底面部１４は本体部２の長尺通路１３の一面を構成する。図中手前側端部には、両側に第二部材１１を固定する係止突部１７が形成されると共に、図中手前側端部は、本体部２の導入口１２を構成する。
【００３２】
第一部材１０の底面部１４には、一側部に複数の傾斜面が形成されている。傾斜面としては、導入口１２に近い方から順に、第一傾斜面部３０と第二傾斜面部３１、第三傾斜面部３２、第四傾斜面部３３、第五傾斜面部３４とが形成されている。また、導入口１２から最も遠い位置には、底面部１４の略全幅に渡る最終傾斜面部３５が形成されている。
【００３３】
第一傾斜面部３０は、底面部１４の幅方向で最も外側にあり、第二傾斜面部３１は底面部１４の幅方向で第一傾斜面部３０より内側に、第三傾斜面部３２は底面部１４の幅方向で第二傾斜面部３１より内側に、第四傾斜面部３３は底面部１４の幅方向で第三傾斜面部３２より内側に、第五傾斜面部３４は底面部１４の幅方向で第四傾斜面部３３より内側に、それぞれ形成されている。このため、各傾斜面部を除いた長尺通路１３の幅は、導入口１２側が最も広く、硬貨が移動する下流側に行くに従って、段階的に狭くなっていくこととなる。
【００３４】
図３には、本体部２の側面図を示している。この図に示すように、本体部２は硬貨を通すことができる程度に薄く形成されている。長尺通路１３を通過する硬貨は、種類によって異なる傾斜面部によって、本体部２の厚み方向に跳ね上げられ、本体部２に形成されたいずれかの開口部から外部に排出される。
【００３５】
図１に示すように、第一部材１０に形成された各傾斜面部は、長尺通路１３において各開口部と対向する面である底面部１４の一端部に形成されており、硬貨が移動する方向に沿って底面部１４から対応する開口部側に向かう傾斜面状となっている。すなわち、傾斜面部は、硬貨が移動する方向に上り傾斜状となっていて、最上部は開口部の開口面内に位置している。
【００３６】
長尺通路１３を通過する硬貨のうち、傾斜面部を含む長尺通路１３の幅と同等の径を有するものは、一端部が傾斜面部にかかり、これによって硬貨は開口部側に跳ね上げられて開口部から外部に排出され、傾斜面部を含まない長尺通路の幅よりも小さい径を有するものは、傾斜面部によって開口部側に跳ね上げられることなく、長尺通路の下流側に向かってさらに移動する。
【００３７】
第一開口部２０は、硬貨の移動方向下流側の縁面２０ａが、第一傾斜面部３０と同じ方向の傾斜状となるように形成されている。これにより、第一傾斜面部３０で一端部が跳ね上げられた硬貨を、第一開口部２０の縁部に干渉されることなく円滑に排出することができる。同様に、第二開口部２１は傾斜状の縁面２１ａを、第三開口部２２は傾斜状の縁面２２ａを、第四開口部２３は傾斜状の縁面２３ａを、第五開口部２４は傾斜状の縁面２４ａを、それぞれ有していて、各開口部からの硬貨の排出を円滑にしている。
【００３８】
硬貨の径の違いによって異なる開口部から排出される機構につき、より詳細に説明する。図４には、本体部２の平面図であって５００円玉５と１０円玉６の挙動の違いにつき表した図を示している。硬貨選別器１を使用する際には、本体部２の幅方向において傾斜面部が形成されている側が上側に、かつ、長尺通路１３の導入口１２側、すなわち上流側が上側となるように、硬貨選別器１を配置する。このように配置すれば、重力によって硬貨は導入口１２から下流側に向かって長尺通路１３を移動していく。
【００３９】
長尺通路１３の幅は、導入口１２付近では最も径の大きい５００円玉５の径と同等に形成されている。ここでの幅は、５００円玉５の径よりも大きく形成されていてもよい。第一傾斜面部３０が形成された硬貨移動方向範囲において、第一傾斜面部３０を含む長尺通路１３の幅は、第一開口部２０から排出する５００円玉５の径と同等であり、第一傾斜面部３０を含まない長尺通路１３の幅は、第一開口部２０から排出することなく通過させる５００円玉５以外の硬貨の径よりも大きくなるように、第一傾斜面部３０の幅が設定されている。具体的には、最も径の大きい５００円玉５と次に径の大きい１０円玉６との径の差は、３ｍｍであるから、第一傾斜面部３０の幅は３ｍｍよりも小さく形成される。なお、第一傾斜面部３０を含む長尺通路１３の幅は、第一開口部２０から排出する５００円玉５の径よりもやや大きくてもよい。
【００４０】
これにより、第一傾斜面部３０によって、最も径の大きい５００円玉５のみが長尺通路１３から跳ね上げられ、第一開口部２０から外部に排出される。径の小さい５００円玉５以外の硬貨は、第一傾斜面部３０には係らないから、長尺通路１３をそのまま下流側に移動する。
【００４１】
図５には、本体部２の平面図であって１０円玉６と１００円玉７の挙動の違いにつき表した図を示している。第一傾斜面部３０より下流側の長尺通路１３は、それより上流側に比べて第一傾斜面部３０の幅だけ狭くなっており、１０円玉６の径と同等の幅となっている。
【００４２】
第二傾斜面部３１が形成された硬貨移動方向範囲において、第二傾斜面部３１を含む長尺通路１３の幅は、第二開口部２１から排出する１０円玉６の径と同等であり、第二傾斜面部３１を含まない長尺通路１３の幅は、第二開口部２１から排出することなく通過させる１００円玉７の径よりも大きくなるように、第二傾斜面部３１の幅が設定されている。具体的には、１０円玉６と次に径の大きい１００円玉７との径の差は、０．９ｍｍであるから、第二傾斜面部３１の幅は０．９ｍｍよりも小さく形成される。なお、第二傾斜面部３１を含む長尺通路１３の幅は、第二開口部２１から排出する１０円玉６の径よりもやや大きくてもよい。
【００４３】
これにより、第二傾斜面部３１によって、第一傾斜面部３０の位置より長尺通路１３の下流側に移動してきた硬貨のうち、１０円玉６のみが長尺通路１３から跳ね上げられ、第二開口部２１から外部に排出される。１０円玉６よりも径の小さい硬貨は、第二傾斜面部３１には係らないから、長尺通路１３をそのまま下流側に移動する。
【００４４】
以下、第三傾斜面部３２、第四傾斜面部３３、第五傾斜面部３４も、排出する硬貨の径に合わせて同様に構成されている。第三傾斜面部３２は、３番目に径の大きい１００円玉のみが係るように形成されていて、１００円玉と次に径の大きい５円玉との径の差０．６ｍｍよりも小さい幅に形成される。第四傾斜面部３３は、４番目に径の大きい５円玉のみが係るように形成されていて、５円玉と次に径の大きい５０円玉との径の差１ｍｍよりも小さい幅に形成される。第五傾斜面部３４は、５番目に径の大きい５０円玉と最も小さい１円玉との径の差１ｍｍよりも小さい幅に形成される。
【００４５】
これらによって、第三開口部２２からは１００円玉が、第四開口部２３からは５円玉が、第五開口部２４からは５０円玉が、それぞれ排出される。最後に残った１円玉は、長尺通路１３の端部に形成された最終傾斜面部３５を経て最終開口部２５から排出される。
【００４６】
このように、長尺通路１３の幅と硬貨の径との関係によって、長尺通路１３の長手方向において異なる位置にある複数の開口部から、それぞれ硬貨が種類別に排出されるので、各開口部の位置に対応した硬貨の受け部を設けておくことで、硬貨を種類別に選別することができる。本発明の硬貨選別器は、硬貨が通過する長尺通路１３の幅を段階的に変化するようにし、それぞれの幅に対応して独立した開口部を形成したので、長尺通路１３を有する本体部２の厚みだけで硬貨の選別機構を構成することができ、硬貨選別器の構造を簡易化すると共に薄型化を図ることができる。
【００４７】
図６には、本体部２に硬貨を差し入れるための入口部材３を取付けた硬貨選別器の斜視図を示している。本体部２は薄型であるため、硬貨の入口となる導入口１２も硬貨１枚分程度の厚みしかなく、そのままでは硬貨を差し入れにくい。そこで、図６のように導入口１２よりも大きく開口した硬貨差入れ口４１を有する入口部材３を本体部２に設けることで、硬貨を本体部２に対し容易に差し入れることができるようになる。
【００４８】
入口部材３は、本体部２に対する固定部４０を有していて、固定部４０を中心に本体部２に対し回動自在となっている。これにより、硬貨を挿入する方向を変化させることができると共に、後述する財布に硬貨選別器を用いる場合の留め具としても使用することができる。
【００４９】
次に、本発明の硬貨選別器を有する財布について説明する。図７には、本実施形態の財布９の斜視図を示している。この財布９は、第一側面部５１と第二側面部５２とを有する財布本体５０からなり、第一側面部５１と第二側面部５２とを一辺側を中心に接離することにより、開閉することができるように構成されている。第一側面部５１と第二側面部５２の間には、内側面部５３が設けられている。
【００５０】
第一側面部５１と内側面部５３の間には、複数の仕切部５４が所定間隔毎に設けられている。仕切部５４によって区切られた各領域は、図中手前側から順に、５００円玉、１０円玉、１００円玉、５円玉、５０円玉、１円玉を納める収納部となる。第一側面部５１には、硬貨選別器１が埋め込まれており、その第一開口部２０は５００円玉の収納部に対して開口し、第二開口部２１は１０円玉の収納部に対して開口し、第三開口部２２は１００円玉の収納部に対して開口し、第四開口部２３は５円玉の収納部に対して開口し、第五開口部２４は５０円玉の収納部に対して開口し、最終開口部２５は１円玉の収納部に対して開口する。また、硬貨選別器１には入口部材３が設けられている。
【００５１】
硬貨選別器１は、各傾斜面部が財布９の開口側にあるので、財布９を底側が下となるように、また、長尺通路１３の下流側が下となるように傾斜させて持つことにより、入口部材３から挿入された硬貨は長尺通路１３を下流側に移動していき、選別されて所定の収納部に収納される。
【００５２】
財布９において硬貨選別器１がこのように配置されていることにより、入口部材３から挿入した硬貨を、硬貨選別器１の長尺通路１３に沿って移動させるのに伴い、硬貨の種類別に異なる収納部に排出することができ、硬貨を簡単に選別して収納することができる。
【００５３】
また、内側面部５３の仕切部５４が設けられる側と反対側の面には、カード収納部５５が形成されている。さらに、第二側面部５２の内面側には、紙幣を収納可能な札入れ部５２が形成されている。札入れ部５２は、二辺が開口しているので、紙幣の出し入れを容易にすることができる。
【００５４】
硬貨選別器１に取付けられている入口部材３は、財布９を閉じた際のロック部品としても機能する。図８には、財布９の正面図を示している。前述のように、入口部材３は固定部４０を中心に硬貨選別器１の本体部２に対し回動自在となっている。入口部材３の開口幅は、財布９を閉じた際の厚みと同等に形成されており、財布９を閉じて入口部材３を回動させることにより、入口部材３の開口部分によって財布９の上辺端部を開かないように保持することができる。
【００５５】
以上、本発明の実施形態について説明したが、本発明の適用は本実施形態には限られず、その技術的思想の範囲内において様々に適用されうるものである。本実施形態では、日本で用いられている径の異なる硬貨６種類について選別する硬貨選別器１を示したが、２種類以上の径を有する硬貨を選別するものであれば、本発明を適用することができ、硬貨の種類数については限定されない。
【００５６】
また、本発明の硬貨選別器は、財布のみならず他の用途にも利用することができる。例えば、飲食店や商店等で釣り銭のために硬貨を選別して保管しておく必要がある場合に用いられる硬貨保管箱に、本発明の硬貨選別器を設けることもできる。この場合、硬貨選別器の各開口に対応して、硬貨の収納部を複数設けておくことで、収納部毎に種類の異なる硬貨を選別、保管することができる。さらには、自動販売機の硬貨投入口と本発明の硬貨選別器を連通させて、自動販売機内で硬貨を選別できるようにすることも可能であるし、財布以外の鞄等に本発明の硬貨選別器を設けることもできる。
【符号の説明】
【００５７】
１    硬貨選別器
２    本体部
３    入口部材
９    財布
１０    第一部材
１１    第二部材
１２    導入口
１３    長尺通路
１４    底面部
１５    上面部
１６    取付孔
１７    係止突部
２０    第一開口部
２１    第二開口部
２２    第三開口部
２３    第四開口部
２４    第五開口部
２５    最終開口部
３０    第一傾斜面部
３１    第二傾斜面部
３２    第三傾斜面部
３３    第四傾斜面部
３４    第五傾斜面部
３５    最終傾斜面部
４０    固定部
４１    硬貨差入れ口
５０    財布本体
５１    第一側面部
５２    第二側面部
５３    内側面部
５４    仕切部
５５    カード収納部
５６    札入れ部
【要約】
【課題】簡単な構造で薄型に形成することのできる硬貨選別器及びそれを備えた財布を提供する。
【解決手段】硬貨が摺動可能な長尺通路１３を有する本体部２を有し、本体部２は硬貨を長尺通路１３に導く導入口１２と、長尺通路１３からそれぞれ異なる径の硬貨を排出する複数の開口部２０とを有し、長尺通路１３は、開口部２０と対向する面１４の一端部に、硬貨が移動する方向に沿って当該面１４から対応する開口部２０側に向かう傾斜面部３０を有し、傾斜面部３０が形成された硬貨移動方向範囲において、当該傾斜面部３０を含む長尺通路１３の幅は、当該傾斜面部３０に対応する開口部２０から排出する硬貨の径と同等または大きく、当該傾斜面部３０を含まない長尺通路１３の幅は、対応する開口部２０から排出することなく通過させる硬貨の径より大きい。
【選択図】図１【図１】
0005400248.tif 000002
【図２】
0005400248.tif 000003
【図３】
0005400248.tif 000004
【図４】
0005400248.tif 000005
【図５】
0005400248.tif 000006
【図６】
0005400248.tif 000007
【図７】
0005400248.tif 000008
【図８】
0005400248.tif 000009